(57)【要約】【課題】リッドが誤操作されても開閉機構を適正に作動させる。【解決手段】コンソールボックス１０は、開口部１３を有するボックス本体１１と、ヒンジ軸１６，１８によりボックス本体１１に支持されたリッド１５，１７と、リッド１５，１７を傾動させる開閉機構２１，２２とを備える。開閉機構２１，２２は、係止部３８を有するメインラック３６と、被係止部４８を有するサブラック４１とを備える。被係止部４８は、リッド１５，１７が開位置及び閉位置の間で傾動される場合には、係止部３８に係止されることで、サブラック４１のメインラック３６に対するスライドを規制し、リッド１５，１７が閉位置よりも開口部１３を閉鎖する側へ傾動される場合、及びリッド１５，１７が開位置よりも開口部１３を開放する側へ傾動される場合には、サブラック４１のメインラック３６に対する規制を解除する。【選択図】図２
2018188132.tif 000002
【特許請求の範囲】
【請求項１】
開口部を有するボックス本体と、ヒンジ軸により前記ボックス本体に支持されたリッドと、前記開口部を開放する開位置及び前記開口部を閉鎖する閉位置の間で前記リッドを傾動させる開閉機構とを備え、
前記開閉機構は、前記ヒンジ軸に一体回動可能に設けられた第１ピニオンと、前記第１ピニオンから離れて回動可能に支持された第２ピニオンと、前記第２ピニオンに噛合され、かつ同第２ピニオンの回動に伴いスライドされるメインラックと、前記第１ピニオンに噛合され、かつ前記メインラックに対しスライドされ得るサブラックとを備えており、
前記メインラックは係止部を備え、
前記サブラックは被係止部を備え、当該被係止部は、前記リッドが前記開位置及び前記閉位置の間で傾動される場合には、前記係止部に係止されることで、前記サブラックの前記メインラックに対するスライドを規制し、前記リッドが前記閉位置よりも前記開口部を閉鎖する側へ傾動される場合、及び前記リッドが前記開位置よりも前記開口部を開放する側へ傾動される場合には、前記係止部から離脱されることで、前記サブラックの前記メインラックに対する前記規制を解除するコンソールボックス。
【請求項２】
前記サブラックは、前記メインラックの前記係止部に対し接近する側及び前記係止部から離間する側へ弾性変形し得る可撓部を備え、
前記サブラックの前記被係止部は、前記可撓部に設けられている請求項１に記載のコンソールボックス。
【請求項３】
前記サブラックは、互いに離間した状態で同サブラックのスライド方向に延びる一対のスリットを含み、
前記可撓部は、前記サブラックのうち、前記両スリットで挟まれた領域により構成されている請求項２に記載のコンソールボックス。
【請求項４】
前記サブラックは、互いに離間した状態で同サブラックのスライド方向に延びる一対の凹部を含み、
前記可撓部は、前記サブラックのうち、前記両凹部で挟まれた領域により構成されている請求項２に記載のコンソールボックス。
【請求項５】
前記サブラックは、長尺状をなし、かつ長さ方向における少なくとも両端部において開口する筒状に形成され、
前記コンソールボックスは、前記サブラックを前記ボックス本体にスライド可能に支持する支持部をさらに含み、
前記メインラックは長尺板状をなしており、前記サブラック内に、同サブラックの長さ方向へスライド可能に配置されている請求項１に記載のコンソールボックス。
【請求項６】
前記被係止部は、
前記リッドが前記閉位置よりも前記開口部を閉鎖する側へ傾動されることにより前記係止部から離脱された場合、前記リッドが前記閉位置へ傾動されることにより前記係止部に再び係止され、
前記リッドが前記開位置よりも前記開口部を開放する側へ傾動されることにより前記係止部から離脱された場合、前記リッドが前記開位置へ傾動されることにより前記係止部に再び係止されるものである請求項１に記載のコンソールボックス。
【請求項７】
前記開閉機構は、
前記第２ピニオンに噛合され、前記開位置及び前記閉位置の間で前記リッドを傾動させる場合にスライドされる駆動ラックと、
前記リッドを前記開位置側へ傾動させる際に前記駆動ラックがスライドされる側へ同駆動ラックを付勢する弾性部材と
をさらに備える請求項１に記載のコンソールボックス。
【請求項８】
前記開閉機構はスライド規制部をさらに備え、
前記スライド規制部は、前記リッドが前記開位置及び前記閉位置の間で傾動される場合に前記駆動ラックの前記スライドを許容する一方、前記リッドが前記閉位置よりも前記開口部を閉鎖する側へ傾動される場合、及び前記リッドが前記開位置よりも前記開口部を開放する側へ傾動される場合に前記駆動ラックの前記スライドを規制する請求項７に記載のコンソールボックス。
【請求項９】
前記ボックス本体は車両に取付けられるものであり、
前記リッドは、車幅方向に並べられて設けられた一対のリッドのうちの一つであり、
前記開閉機構は、前記一対のリッド毎に設けられた一対の開閉機構のうちの１つであり、
前記一対の開閉機構のうちの一方の開閉機構における前記駆動ラックと、他方の開閉機構における前記駆動ラックとが共通の部材により構成されている請求項７に記載のコンソールボックス。
【発明の詳細な説明】
【技術分野】
【０００１】
本発明はコンソールボックスに関する。
【背景技術】
【０００２】
車両では、運転席と助手席との間に、小物類を収納するためのコンソールボックスが設置される場合がある。コンソールボックスの一形態として、開口部を有するボックス本体と、ヒンジ軸によりボックス本体に支持されたリッドと、開口部を開放する開位置及び同開口部を閉鎖する閉位置の間でリッドを傾動させる開閉機構とを備えるものが知られている。例えば、特許文献１に開示されるコンソールボックスは、車幅方向に並設された一対のリッドと、複数の歯車を有する開閉機構とを備えている。そのコンソールボックスでは、開閉機構によって、両リッドを、それぞれのヒンジ軸の周りに互いに反対方向へ傾動させることにより、開口部が開閉される。
【先行技術文献】
【特許文献】
【０００３】
【特許文献１】米国特許第７４０７２００号明細書
【発明の概要】
【発明が解決しようとする課題】
【０００４】
上記従来のコンソールボックスによれば、ヒンジ軸の周りに両リッドを閉位置まで傾動させることで、開口部を閉鎖することができる。また、両ヒンジ軸の周りに両リッドを開位置まで傾動させることで、開口部を大きく開放することができる。
【０００５】
ところが、閉位置まで傾動されたリッドに対し、乗員により、開口部を閉鎖する側へさらに傾動させる操作が行なわれるおそれがある。また、開位置まで傾動されたリッドに対し、乗員により、開口部を開放する側へさらに傾動させる操作が行なわれるおそれがある。上記従来のコンソールボックスでは、リッドに対し上記のような誤操作が行なわれた場合の対策が特段講じられていない。そのため、誤操作されたリッドを通じて開閉機構に対し過大な荷重が加わり、隣り合う歯車同士が適正な位置で噛み合わなくなる。開閉機構が適正に作動しなくなり、両リッドの開閉のタイミングがずれる等の現象が起こる懸念がある。
【０００６】
こうした問題は、一対のリッドによって開口部の全体を開閉する上述のタイプのコンソールボックスに限らず、１つのリッドによって開口部の全体を開閉するタイプのコンソールボックスでも同様に起こり得る。
【０００７】
本発明の目的は、リッドが誤操作されても開閉機構を適正に作動させることのできるコンソールボックスを提供することにある。
【課題を解決するための手段】
【０００８】
上記課題を解決するコンソールボックスは、開口部を有するボックス本体と、ヒンジ軸により前記ボックス本体に支持されたリッドと、前記開口部を開放する開位置及び前記開口部を閉鎖する閉位置の間で前記リッドを傾動させる開閉機構とを備える。前記開閉機構は、前記ヒンジ軸に一体回動可能に設けられた第１ピニオンと、前記第１ピニオンから離れて回動可能に支持された第２ピニオンと、前記第２ピニオンに噛合され、かつ同第２ピニオンの回動に伴いスライドされるメインラックと、前記第１ピニオンに噛合され、かつ前記メインラックに対しスライドされ得るサブラックとを備える。前記メインラックは係止部を備える。前記サブラックは被係止部を備える。当該被係止部は、前記リッドが前記開位置及び前記閉位置の間で傾動される場合には、前記係止部に係止されることで、前記サブラックの前記メインラックに対するスライドを規制し、前記リッドが前記閉位置よりも前記開口部を閉鎖する側へ傾動される場合、及び前記リッドが前記開位置よりも前記開口部を開放する側へ傾動される場合には、前記係止部から離脱されることで、前記サブラックの前記メインラックに対する前記規制を解除する。
【発明の効果】
【０００９】
上記コンソールボックスによれば、リッドが誤操作されても開閉機構を適正に作動させることができる。
【図面の簡単な説明】
【００１０】
【図１】コンソールボックスの平面図。
【図２】（ａ）は両リッドが閉位置に配置されたときの同リッド及び両開閉機構の状態を示す縦断面図、（ｂ）および（ｃ）は図２（ａ）の一部をそれぞれ拡大して示す部分縦断面図。
【図３】メインラックがサブラックに組付けられた状態を示す図であり、（ａ）は縦断面図、（ｂ）は平面図、（ｃ）は底面図。
【図４】（ａ）はサブラックと、同サブラックに組付けられる前のメインラックとを示す縦断面図、（ｂ）はメインラックを示す平面図、（ｃ）はサブラックを示す平面図。
【図５】（ａ）は両リッドが開位置に配置されたときの同リッド及び両開閉機構の状態を示す部分縦断面図、（ｂ）および（ｃ）は図５（ａ）の一部をそれぞれ拡大して示す部分縦断面図。
【図６】（ａ）は右側の開閉機構におけるリッドが閉位置よりも開口部を閉鎖する側へさらに傾動されたときの同リッド及び開閉機構の状態を示す部分縦断面図、（ｂ）は図６（ａ）の一部を拡大して示す部分縦断面図。
【図７】（ａ）は右側の開閉機構におけるリッドが開位置よりも開口部を開放する側へさらに傾動されたときの同リッド及び開閉機構の状態を示す部分縦断面図、（ｂ）は図７（ａ）の一部を拡大して示す部分縦断面図。
【発明を実施するための形態】
【００１１】
以下、コンソールボックスの一実施形態について、図面を参照して説明する。
以下の記載においては、車両の進行方向（前進方向）を前方とし、後進方向を後方とし、高さ方向を上下方向として説明する。また、車幅方向（左右方向）については、車両を後方から見た場合を基準として方向を規定する。
【００１２】
車両の車幅方向に並設された運転席と助手席との間には、図１及び図２（ａ）に示すコンソールボックス１０が設置されている。コンソールボックス１０は、車両の床に取付けられるボックス本体１１と、同ボックス本体１１に対し、車幅方向に並設された一対のリッド１５，１７と、リッド１５，１７にそれぞれ設けられた開閉機構２１，２２とを備えている。ボックス本体１１は、小物類を収納するための収納凹部１２を備えている。収納凹部１２は、自身の上端に開口部１３を有している。
【００１３】
右側のリッド１５は、前後方向に細長い形状をなしており、ボックス本体１１の右上端部に対し、ヒンジ軸１６により支持されている。左側のリッド１７は、前後方向に細長い形状をなしており、ボックス本体１１の左上端部に対し、ヒンジ軸１８により支持されている。
【００１４】
右側の開閉機構２１は、右側のリッド１５を、開位置及び閉位置の間で傾動させるためのものである。右側のリッド１５は、閉位置では、図２（ａ）に示すように略水平状態になって、開口部１３の右部を閉鎖する。右側のリッド１５は、開位置では、図５（ａ）に示すように略鉛直状態になって、開口部１３の右部を大きく開放する。
【００１５】
左側の開閉機構２２は、左側のリッド１７を、開位置及び閉位置の間で傾動させるためのものである。左側のリッド１７は、閉位置では、図２（ａ）に示すように略水平状態になって、開口部１３の左部を閉鎖する。左側のリッド１７は、開位置では、図５（ａ）に示すように略鉛直状態になって、開口部１３の左部を大きく開放する。
【００１６】
両リッド１５，１７は、互いに反対方向へ傾動される。詳しくは、右側のリッド１５が閉位置から開位置へ移動するとき、同リッド１５は時計回り方向へ傾動される。一方、左側のリッド１７が閉位置から開位置へ移動するとき、同リッド１７は反時計回り方向へ傾動される。また、右側のリッド１５が開位置から閉位置へ移動するとき、同リッド１５は反時計回り方向へ傾動される。一方、左側のリッド１７が開位置から閉位置へ移動するとき、同リッド１７は時計回り方向へ傾動される。
【００１７】
両リッド１５，１７を上記のように互いに反対方向へ傾動させるために、開閉機構２１，２２として同様の構成を有するものが用いられている。同様の構成とは、同一の機能を発揮する構成部材が用いられて開閉機構２１，２２が構成されているが、対応する構成部材が線対称の関係となるように配置されていることを意味する。
【００１８】
図２（ａ）に示すように、各開閉機構２１，２２は、駆動ラック２３、弾性部材２７、スライド規制部２８，２９、第１ピニオン３１、第２ピニオン３３、メインラック３６、及びサブラック４１を備えている。これらの構成部材のうち、駆動ラック２３、弾性部材２７、及びスライド規制部２８，２９は、開閉機構２１，２２間で共通する部材によって構成されている。
【００１９】
駆動ラック２３は、左右方向よりも上下方向に細長い四角枠状をなしている。駆動ラック２３は、自身の左右両側部のそれぞれに複数の歯２４を有している。各側部において、複数の歯２４は、上下方向に並設されている。ボックス本体１１において同駆動ラック２３の左右の複数箇所には支持部２５が設けられている。駆動ラック２３は、これらの支持部２５により、上下方向へスライド可能に支持されている。複数の支持部２５は、駆動ラック２３をボックス本体１１に支持する機能のほかに、同駆動ラック２３の上下方向のスライドをガイドする機能も有している。駆動ラック２３は、ボックス本体１１に固定された板状の受け部２６を取り囲んでいる。
【００２０】
弾性部材２７は、変形することで弾性エネルギを蓄え得る部材であり、本実施形態ではこの弾性部材２７としてコイルばねが用いられている。弾性部材２７は上下方向に圧縮された状態で、上記受け部２６と駆動ラック２３の底壁部２３ａとの間に配置されている。
【００２１】
スライド規制部２８，２９は、次の機能を有している。
・スライド規制部２８，２９は、両リッド１５，１７が開位置及び閉位置の間で傾動される場合に駆動ラック２３の上下方向のスライドを許容する。
【００２２】
・スライド規制部２８は、両リッド１５，１７が閉位置よりも開口部１３を閉鎖する側へ傾動される場合に、駆動ラック２３の上方へのスライドを規制する（図６（ａ）参照）。
【００２３】
・スライド規制部２９は、両リッド１５，１７が開位置よりも開口部１３を開放する側へ傾動される場合に、駆動ラック２３の下方へのスライドを規制する（図７（ａ）参照）。
【００２４】
スライド規制部２８，２９は、ボックス本体１１のうち駆動ラック２３がスライドされる経路であって、互いに上下方向に離間した箇所に設けられている。上側のスライド規制部２８は、各リッド１５，１７が閉位置に配置されたときに駆動ラック２３の上端面に接触する箇所に設けられている（図２（ａ）参照）。下側のスライド規制部２９は、各リッド１５，１７が開位置に配置されたときに駆動ラック２３の下端面に接触する箇所に設けられている（図５（ａ）参照）。
【００２５】
ボックス本体１１には、保持機構（図示略）及び解除ボタン（図示略）が設けられている。保持機構は、駆動ラック２３を上側のスライド規制部２８に接触する箇所に保持するための機構である。解除ボタンは、保持機構による保持を解除する際に押圧されるボタンである。
【００２６】
図２（ａ）に示すように、各第１ピニオン３１は、上記ヒンジ軸１６，１８に一体回動可能に設けられており、外周に複数の歯３２を有している。複数の歯３２は、各第１ピニオン３１の周方向に並設されている。各第１ピニオン３１は、回動を直線の動きに変換する機能を有している。
【００２７】
各第２ピニオン３３は、上記各第１ピニオン３１から離れた箇所、より具体的には、駆動ラック２３と各第１ピニオン３１との間であって、同駆動ラック２３に接近した箇所に配置されている。各第２ピニオン３３は、軸３４により、ボックス本体１１に対し回動可能に支持されている。各第２ピニオン３３は、外周に複数の歯３５を有している。複数の歯３５は、各第２ピニオン３３の周方向に並設されている。各第２ピニオン３３は、駆動ラック２３の左右の側部のうち対向するものに噛合されている。各第２ピニオン３３は、回動を直線の動きに変換する機能を有している。
【００２８】
図４（ａ）〜（ｃ）は、各開閉機構２１，２２におけるサブラック４１にメインラック３６が組付けられる前の状態を示している。図３（ａ）〜（ｃ）は、各開閉機構２１，２２におけるサブラック４１にメインラック３６が組付けられた状態を示している。図３（ａ），（ｂ）及び図４（ａ），（ｂ）に示すように、各メインラック３６は長尺板状をなしている。各メインラック３６は、その上面であって、長さ方向における中央部分に、複数の歯３７を有している。複数の歯３７は、各メインラック３６の長さ方向に並設されている。また、各メインラック３６の下面であって、長さ方向における中央部分には、係止部３８が形成されている。係止部３８は、メインラック３６の下面から下方へ突出する凸部によって構成されている。
【００２９】
図３（ａ）〜（ｃ）及び図４（ａ），（ｃ）に示すように、各サブラック４１は、一対の縦壁部４２、上横壁部４３及び下横壁部４５を備え、長尺状をなしている。各サブラック４１は、少なくとも長さ方向の両端部において開口する略四角筒状に形成されている。各サブラック４１における一対の縦壁部４２は、いずれも長尺板状をなし、互いに前後方向に平行に離間している。
【００３０】
各サブラック４１において、上横壁部４３は、両縦壁部４２の上端部の間に設けられている。上横壁部４３は、サブラック４１の長さ方向の中央部よりも駆動ラック２３に近い部分と遠い部分とで異なる形態を有している。各上横壁部４３のうち、駆動ラック２３から遠い部分（図３（ａ）等の右部分）は、両縦壁部４２の上端部の間に架け渡された板状部４３ａによって構成されている。各上横壁部４３のうち、駆動ラック２３に近い部分（図３（ａ）等の左部分）は、各縦壁部４２上においてサブラック４１の長さ方向に延びる一対の突条部４３ｂによって構成されている。各突条部４３ｂの一部は、対向する縦壁部４２の上端部に向けて突出している。板状部４３ａの下面には、複数の歯４４が形成されている。複数の歯４４は、サブラック４１の長さ方向に並設されている。
【００３１】
各サブラック４１において、下横壁部４５は、サブラック４１の長さ方向の中央部よりも駆動ラック２３に近い部分で板状をなしており、両縦壁部４２の下端部の間に架け渡されている。下横壁部４５の一部は、板状部４３ａの一部に対し、サブラック４１の長さ方向にオーバラップしている。
【００３２】
下横壁部４５であって、各縦壁部４２との境界部分には、サブラック４１の長さ方向に延びるスリット４６が貫通されている。下横壁部４５のうち、両スリット４６によって挟まれた領域は、こうしたスリット４６が設けられない場合よりも厚み方向に弾性変形しやすい可撓部４７を構成している。可撓部４７の上面であって、サブラック４１の長さ方向における中央部分には、被係止部４８が形成されている。被係止部４８は、下方へ凹む凹部によって構成されており、凸部からなる上記係止部３８に係止することが可能である。可撓部４７の上記厚み方向は、被係止部４８が上記係止部３８に対し接近及び離間する方向にも対応する。
【００３３】
上記のように構成された各サブラック４１は、図２（ａ）に示すように、ボックス本体１１において同サブラック４１の上下の複数箇所に設けられた支持部４９により、傾斜した方向へスライド可能に支持されている。傾斜した方向とは、駆動ラック２３から遠ざかるほど上方に位置する方向である。複数の支持部４９のうち、サブラック４１の下側に配置されたものは長尺板状をなしており、同サブラック４１を下方から広い面で支持している。複数の支持部４９は、サブラック４１をボックス本体１１に支持する機能のほかに、サブラック４１のスライドをガイドする機能も有している。
【００３４】
上述した各開閉機構２１，２２のメインラック３６は、図３（ａ）及び図４（ａ）に示すように、サブラック４１内に配置されている。より正確には、各開閉機構２１，２２のメインラック３６は、上横壁部４３（両突条部４３ｂの全体及び板状部４３ａの一部）と下横壁部４５との間に配置されている。これらの上横壁部４３及び下横壁部４５により、サブラック４１の動き得る方向が、メインラック３６の延びる方向、すなわち、駆動ラック２３から遠ざかるに従い上方に位置するように傾斜した方向に規制される。図２（ａ）〜（ｃ）に示すように、各開閉機構２１，２２では、サブラック４１が被係止部４８においてメインラック３６の係止部３８に係止されることで、同サブラック４１の同メインラック３６に対するスライドが規制される。また、被係止部４８が係止部３８から離脱されることで、上記規制が解除されて、サブラック４１がメインラック３６に対してスライド可能となる。
【００３５】
各メインラック３６は、いずれかの歯３７において、第２ピニオン３３におけるいずれかの歯３５に噛合されている（図２（ｂ），（ｃ）参照）。各サブラック４１は、いずれかの歯４４において、第１ピニオン３１におけるいずれかの歯３２に噛合されている（図２（ａ）参照）。
【００３６】
次に、上記のように構成された本実施形態のコンソールボックス１０の作用及び効果について、状況毎に分けて説明する。
図２（ａ）〜（ｃ）に示すように、両リッド１５，１７が閉位置に配置されている場合、各開閉機構２１，２２では、被係止部４８が係止部３８に係止されて、サブラック４１のメインラック３６に対するスライドが規制されている。駆動ラック２３は、保持機構（図示略）により、上側のスライド規制部２８に接触された状態に保持されている。弾性部材２７が圧縮されており、駆動ラック２３に対し、弾性部材２７による下向きの弾性力（付勢力）が加えられている。各開閉機構２１，２２の第１ピニオン３１の歯３２は、サブラック４１の複数の歯４４のうち、上端部に位置するものに噛合されている。各開閉機構２１，２２の第２ピニオン３３の歯３５は、駆動ラック２３の歯２４のうち、上下方向における中間部分に位置するものに噛合されるとともに、各メインラック３６の複数の歯３７のうち、上端部に位置するものに噛合されている。
【００３７】
両リッド１５，１７が略水平状態となって開口部１３の全体を閉鎖している。そのため、ボックス本体１１の収納凹部１２内に収納された被収納物（小物類等）が、その収納凹部１２から出るのを両リッド１５，１７によって規制することができる。
【００３８】
また、上記のように両リッド１５，１７が閉位置に配置されている場合、駆動ラック２３は、下側のスライド規制部２９による規制を受けず、下方へのスライドが可能である。
開口部１３を開放するように両リッド１５，１７が傾動される場合について説明する。
【００３９】
閉位置に配置された両リッド１５，１７を傾動させて開口部１３の全体を開放する場合には、乗員により解除ボタン（図示略）が押圧操作される。すると、保持機構による駆動ラック２３の保持が解除される。弾性部材２７を圧縮させ続ける力がなくなり、同弾性部材２７の弾性エネルギが開放される。支持部２５によって支持された駆動ラック２３が、上記弾性エネルギによって下方へスライドされる。開閉機構２１，２２毎の第２ピニオン３３に対する駆動ラック２３の噛み合い位置が変化し、同第２ピニオン３３が回動される。開閉機構２１，２２毎のメインラック３６に対する第２ピニオン３３の噛み合い位置が変化し、同メインラック３６が斜め上方へスライドされる。
【００４０】
このとき、各被係止部４８は、可撓部４７の弾性力により係止部３８に接近されることで、同係止部３８に係止される。この係止により、サブラック４１のメインラック３６に対するスライドが規制される。
【００４１】
そのため、各サブラック４１は、各メインラック３６と一体となって斜め上方へスライドされる。各サブラック４１のスライドに伴い、同サブラック４１の第１ピニオン３１との噛み合い位置が変化し、同第１ピニオン３１が回動される。ヒンジ軸１６，１８が第１ピニオン３１と一体となって互いに反対方向へ回動され、両リッド１５，１７がヒンジ軸１６，１８の周りに開位置に向けて傾動される。
【００４２】
そして、駆動ラック２３が、図５（ａ）に示すように、下側のスライド規制部２９に接触する位置までスライドされると、それ以上の駆動ラック２３の下方へのスライドが同スライド規制部２９によって規制される。これに伴い、開閉機構２１，２２毎の第２ピニオン３３の回動が停止され、メインラック３６及びサブラック４１の斜め上方へのスライドが停止され、両第１ピニオン３１の回動が停止される。両リッド１５，１７の傾動が開位置で停止される。
【００４３】
各第１ピニオン３１は、各サブラック４１の複数の歯４４のうち、下部に位置するものに噛合される。各第２ピニオン３３の歯３５は、駆動ラック２３の複数の歯２４のうち、上部に位置するものに噛合されるとともに、各メインラック３６の複数の歯３７のうち、下部に位置するものに噛合される。
【００４４】
各リッド１５，１７が略鉛直状態となって、開口部１３を大きく開放する。そのため、開口部１３を通じて被収納物（小物類等）を収納凹部１２内に収納したり、収納凹部１２内に収納された被収納物を収納凹部１２から開口部１３を通じて取出したりすることができる。
【００４５】
また、この場合に要求される操作は、解除ボタンを押す操作だけである。解除ボタンに対する押圧操作が行なわれて、保持機構による駆動ラック２３の保持が解除されれば、弾性部材２７の弾性エネルギによって、開閉機構２１，２２に共通の駆動ラック２３が下方ヘスライドされるとともに、開閉機構２１，２２毎の第２ピニオン３３、メインラック３６、サブラック４１、及び第１ピニオン３１が自動的に作動する。そのため、リッド１５，１７に直接触れてそれらのリッド１５，１７を傾動させる等の操作を行なわなくてすみ、開口部１３を開放するための操作が簡単である。
【００４６】
また、上記のように、両リッド１５，１７が開位置に配置されている場合、駆動ラック２３は、上側のスライド規制部２８による規制を受けず、上方へスライドすることが可能である。
【００４７】
開口部１３を閉鎖するように両リッド１５，１７が傾動される場合について説明する。
上記のように、開位置に配置されている両リッド１５，１７を傾動させて開口部１３の全体を閉鎖する場合には、手動により、弾性部材２７の付勢力に抗し、リッド１５，１７の少なくとも一方、例えば、右側のリッド１５に対し、開口部１３の右部を閉鎖する側へ押す操作が行なわれる。この操作が行なわれたリッド１５が、ヒンジ軸１６の周りに反時計回り方向へ傾動されると、右側の開閉機構２１における第１ピニオン３１が、ヒンジ軸１６と一体となって同反時計回り方向へ回動される。第１ピニオン３１のサブラック４１との噛み合い位置が変化し、同サブラック４１が斜め下方へスライドされる。
【００４８】
係止部３８において被係止部４８に係止されたメインラック３６は、上記サブラック４１と一体となって斜め下方へスライドされる。メインラック３６の上記スライドに伴い、歯３７の歯３５との噛み合い位置が変化し、第２ピニオン３３が時計回り方向へ回動される。第２ピニオン３３の駆動ラック２３との噛み合い位置が変化し、同駆動ラック２３が弾性部材２７を圧縮させながら上方へ向けてスライドされる。弾性部材２７は、圧縮されるに従い弾性エネルギを蓄える。
【００４９】
上記駆動ラック２３の上方へのスライドは、左側の開閉機構２２における第２ピニオン３３、メインラック３６、サブラック４１、及び第１ピニオン３１を介して左側のヒンジ軸１８に伝達される。第２ピニオン３３及び第１ピニオン３１が、上記右側の開閉機構２１における第２ピニオン３３及び第１ピニオン３１が回動する方向とは反対方向へ回動される。メインラック３６及びサブラック４１が一体となって斜め下方へスライドされ、左側のリッド１７が、ヒンジ軸１８の周りに時計回り方向へ傾動され、開口部１３の左部が閉鎖される。
【００５０】
そして、駆動ラック２３が、図２（ａ）に示すように、上側のスライド規制部２８に接触する位置までスライドされると、それ以上の駆動ラック２３の上方へのスライドが同スライド規制部２８によって規制される。これに伴い、開閉機構２１，２２毎の第２ピニオン３３の回動が停止され、メインラック３６及びサブラック４１の斜め下方へのスライドが停止され、両第１ピニオン３１の回動が停止される。両リッド１５，１７の傾動が閉位置で停止される。さらに、駆動ラック２３は、保持機構により、上側のスライド規制部２８に接触された状態に保持される。
【００５１】
リッド１５，１７が略水平状態になり、開口部１３の全体を閉鎖する。また、弾性部材２７は圧縮された状態に保持される。また、解除ボタンは、押す操作が行なわれる前の状態に戻される。
【００５２】
なお、この場合に要求される操作は、手動により、リッド１５，１７の少なくとも一方に対し、開口部１３を閉鎖する方向へ押す操作だけである。
リッド１５，１７の少なくとも一方が、閉位置よりも開口部１３を閉鎖する側へ傾動される場合について説明する。
【００５３】
図２（ａ）〜（ｃ）に示すように、リッド１５，１７が閉位置に配置されているときには、駆動ラック２３は、同駆動ラック２３に接触した上側のスライド規制部２８により、それ以上上方へスライドするのを規制される。
【００５４】
そのため、リッド１５，１７の少なくとも一方、例えば、右側のリッド１５が下方へ押されて、閉位置よりも開口部１３の右部を閉鎖する側へ傾動された場合、駆動ラック２３が上方へスライドされず、第２ピニオン３３が回動されず、メインラック３６が斜め下方へスライドされない。
【００５５】
一方で、右側のリッド１５の上記傾動に伴い、ヒンジ軸１６及び第１ピニオン３１が反時計回り方向へ回動され、サブラック４１に対し、そのサブラック４１を斜め下方へスライドさせようとする力が加わる。この力がリッド１５の上記傾動に伴い増大されるに従い、可撓部４７は厚み方向において係止部３８から離間するように弾性変形し、可撓部４７における被係止部４８を係止部３８に係止させようとする力を減少させる。そして、サブラック４１を斜め下方へスライドさせようとする上記力が、可撓部４７が被係止部４８を係止部３８に係止させようとする力に打ち勝つと、図６（ａ），（ｂ）に示すように、被係止部４８が係止部３８から斜め下方へ離脱され、同被係止部４８の係止部３８に対する係止状態が解除される。この係止状態の解除により、サブラック４１はメインラック３６に対し、斜め下方へスライドすることが可能となる。
【００５６】
従って、サブラック４１がメインラック３６に対してスライドされない場合に比べ、第１ピニオン３１、第２ピニオン３３、メインラック３６、及びサブラック４１のいずれにも過大な荷重が加わりにくい。過大な荷重が加わることが原因で、第１ピニオン３１がサブラック４１に対し適正な位置で噛み合わなくなったり、第２ピニオン３３がメインラック３６に対し適正な位置で噛み合わなくなったりすることが起こりにくい。噛み合い位置がずれて、両リッド１５，１７の開閉のタイミングがずれる等の現象が起こりにくい。
【００５７】
このように、本実施形態によると、右側のリッド１５に対し、閉位置よりも開口部１３の右部を閉鎖する側へ傾動させる誤操作が行なわれても、右側の開閉機構２１を保護し、適正に作動させることができる。左側のリッド１７に対し、閉位置よりも開口部１３の左部を閉鎖する側へ傾動させる誤操作が行なわれた場合も、上記と同様にして、左側の開閉機構２２を保護し、適正に作動させることができる。
【００５８】
なお、上述した右側のリッド１５に対する誤操作により、被係止部４８が係止部３８から斜め下方へ離脱されても、同リッド１５を引上げて閉位置へ向けて時計回り方向へ傾動させることにより、その被係止部４８を再び係止部３８に係止させることができる。すなわち、右側のリッド１５が時計回り方向へ傾動されることにより、ヒンジ軸１６が第１ピニオン３１を伴って同時計回り方向へ回動され、サブラック４１がメインラック３６に対し斜め上方へスライドされる。このスライドに伴い、被係止部４８が同方向へ移動して係止部３８に係止されると、サブラック４１のメインラック３６に対するスライドが規制され、右側の開閉機構２１が、誤操作の行なわれる前の適正な状態に戻される。
【００５９】
左側のリッド１７に対する誤操作により、被係止部４８が係止部３８から斜め下方へ離脱されても、同リッド１７を引上げて閉位置へ向けて反時計回り方向へ傾動させることにより、上記と同様にして、被係止部４８を再び係止部３８に係止させることができる。
【００６０】
リッド１５，１７の少なくとも一方が、開位置よりも開口部１３を開放する側へ傾動される場合について説明する。
図５（ａ）〜（ｃ）に示すように、各リッド１５，１７が開位置に配置されているときには、駆動ラック２３は、その駆動ラック２３に接触した下側のスライド規制部２９により、それ以上下方ヘスライドするのを規制される。
【００６１】
そのため、リッド１５，１７の少なくとも一方、例えば、右側のリッド１５が引上げられて、開位置よりも開口部１３の右部を開放する側である時計回り方向へ傾動された場合、駆動ラック２３が下方へスライドされず、第２ピニオン３３が回動されず、メインラック３６がスライドされない。
【００６２】
一方で、右側のリッド１５の上記傾動に伴い、ヒンジ軸１６及び第１ピニオン３１が時計回り方向へ回動され、サブラック４１に対し、そのサブラック４１を斜め上方へスライドさせようとする力が加わる。この力がリッド１５の上記傾動に伴い増大されるに従い、可撓部４７は厚み方向において係止部３８から離間するように弾性変形し、可撓部４７における被係止部４８を係止部３８に係止させようとする力を減少させる。そして、サブラック４１を斜め上方へスライドさせようとする上記力が、可撓部４７が被係止部４８を係止部３８に係止させようとする力に打ち勝つと、図７（ａ），（ｂ）に示すように、被係止部４８が係止部３８から斜め上方へ離脱され、同被係止部４８の係止部３８に対する係止状態が解除される。この係止状態の解除により、サブラック４１はメインラック３６に対し、斜め上方へスライドすることが可能となる。
【００６３】
従って、サブラック４１がメインラック３６に対してスライドされない場合に比べ、第１ピニオン３１、第２ピニオン３３、メインラック３６、及びサブラック４１のいずれにも過大な荷重が加わりにくい。過大な荷重が加わることが原因で、第１ピニオン３１がサブラック４１に対し適正位置で噛み合わなくなったり、第２ピニオン３３がメインラック３６に対し適正位置で噛み合わなくなったりすることが起こりにくい。噛み合い位置がずれて、両リッド１５，１７の開閉のタイミングがずれる等の現象が起こりにくい。
【００６４】
このように、本実施形態によると、右側のリッド１５に対し、開位置よりも開口部１３の右部を開放する側へ傾動させる誤操作が行なわれても、右側の開閉機構２１を保護し、適正に作動させることができる。左側のリッド１７に対し、開位置よりも開口部１３の左部を開放する側へ傾動させる誤操作が行なわれた場合も、上記と同様にして、左側の開閉機構２２を保護し、適正に作動させることができる。
【００６５】
なお、上述した右側のリッド１５に対する誤操作により、被係止部４８が係止部３８から斜め上方へ離脱されても、同リッド１５を開位置へ向けて押して、反時計回り方向へ傾動させることにより、その被係止部４８を再び係止部３８に係止させることができる。すなわち、右側のリッド１５が反時計回り方向へ傾動されることにより、ヒンジ軸１６が第１ピニオン３１を伴って同反時計回り方向へ回動され、サブラック４１がメインラック３６に対し斜め下方へスライドされる。このスライドに伴い、被係止部４８が係止部３８に係止されると、サブラック４１のメインラック３６に対するスライドが規制され、右側の開閉機構２１が、誤操作の行なわれる前の適正な状態に戻される。
【００６６】
左側のリッド１７に対する誤操作により、被係止部４８が係止部３８から斜め上方へ離脱されても、同リッド１７を開位置へ向けて時計回り方向へ押す等して傾動させることにより、上記と同様にして、被係止部４８を再び係止部３８に係止させることができる。
【００６７】
本実施形態によると、上記以外にも、次の効果が得られる。
・車幅方向に並べられた一対のリッド１５，１７毎に開閉機構２１，２２が設けられる構成において、一方の開閉機構２１（２２）における駆動ラック２３、支持部２５、弾性部材２７、及びスライド規制部２８，２９が、他方の開閉機構２２（２１）における駆動ラック２３、弾性部材２７、及びスライド規制部２８，２９を兼ねる。そのため、開閉機構２１，２２毎に専用の駆動ラック２３、弾性部材２７、及びスライド規制部２８，２９が用いられる場合に比べ、コンソールボックス１０の部品点数を低減することができる。
【００６８】
・図３（ｃ）及び図４（ｃ）における両スリット４６の幅及び長さの少なくとも一方を変えることで、可撓部４７の弾性変形のしやすさを調整することができる。
なお、上記実施形態は、これを以下のように変更した変形例として実施することもできる。
【００６９】
・コンソールボックスは、車幅方向に代えて前後方向に並設された一対のリッドによって開口部の全体を開閉するタイプのコンソールボックスにも適用可能である。
・コンソールボックスは、１つのリッドによって開口部の全体を開閉するタイプのコンソールボックスにも適用可能である。
【００７０】
・上記実施形態におけるスリット４６に代えて、下横壁部４５を貫通しない凹部が設けられてもよい。この凹部は、下横壁部４５の上面及び下面のいずれかに開口する。この場合には、下横壁部４５のうち両凹部で挟まれた領域により、可撓部４７が構成される。このようにスリット４６が凹部に変更されても、下横壁部４５に、他の箇所よりも弾性変形しやすい可撓部４７を形成することができる。
【００７１】
この場合、両凹部の深さ、幅、及び長さの少なくとも１つを変えることで、可撓部４７の弾性変形のしやすさを調整することができる。
・複数の歯３２は、第１ピニオン３１の外周のうち、全周にわたって設けられてもよいし、リッド１５，１７を傾動させる場合に歯４４との噛合に関わる部分にのみ設けられてもよい。
【００７２】
同様に、複数の歯３５は、各第２ピニオン３３の外周のうち、全周にわたって設けられてもよいし、リッド１５，１７を傾動させる場合に歯２４，３７との噛合に関わる部分にのみ設けられてもよい。
【００７３】
・メインラック３６及びサブラック４１として、上記実施形態とは逆の構成を有する部品が用いられてもよい。すなわち、メインラック３６として、少なくとも長さ方向の両端部において開口する略四角筒状をなすものが用いられ、サブラック４１として、長尺板状をなすものが用いられてもよい。この場合には、メインラック３６が支持部により、斜め方向へスライド可能に支持され、サブラック４１がメインラック３６内にスライド可能に支持される。
【００７４】
このように変更されても、上記実施形態と同様の作用及び効果を得ることができる。
・上記実施形態とは逆に、係止部３８が、凸部に代えて凹部によって構成されてもよい。この場合、被係止部４８は、凹部に代えて、上記係止部３８に係止し得る凸部によって構成される。
【００７５】
・弾性部材として、上述したように、変形することで弾性エネルギを蓄え得る部材であることを条件に、コイルばねとは異なる種類のばねが用いられてもよい。また、弾性部材として、ゴム、エラストマ等の弾性材料によって形成されたものが用いられてもよい。
【符号の説明】
【００７６】
１０…コンソールボックス、１１…ボックス本体、１３…開口部、１５，１７…リッド、１６，１８…ヒンジ軸、２１，２２…開閉機構、２３…駆動ラック、２５，４９…支持部、２７…弾性部材、２８，２９…スライド規制部、３１…第１ピニオン、３３…第２ピニオン、３６…メインラック、３８…係止部、４１…サブラック、４６…スリット、４７…可撓部、４８…被係止部。
【図１】
2018188132.tif 000003
【図２】
2018188132.tif 000004
【図３】
2018188132.tif 000005
【図４】
2018188132.tif 000006
【図５】
2018188132.tif 000007
【図６】
2018188132.tif 000008
【図７】
2018188132.tif 000009